(57)【要約】      （修正有）【課題】通信ネットワークを介して売上データ処理装置をサーバ装置に容易に接続し、サーバ装置との通信を可能とする。【解決手段】売上データ処理装置１は、情報センタサーバ４で提供される店舗支援サービスを利用する場合、接続部に接続（挿入）されているメモリカードから、電子レジスタコードと店舗支援ポート番号とを読み出し、通信部によって、店舗支援ポート番号を基に情報センタサーバ４の店舗支援ポートに接続する。また、売上データ処理装置１が情報センタサーバ４で提供される電子決済サービスを利用する場合、決済端末２から、決済端末２に接続（挿入）されているメモリカードに記憶されている電子決済端末コードと電子決済ポート番号とを受信し、通信部によって、この電子決済ポート番号を基に情報センタサーバ４の電子決済ポートに接続する。【選択図】図１
2009009322.tif 000002
【特許請求の範囲】
【請求項１】
通信ネットワークを介してサーバ装置に接続される売上データ処理装置であって、
前記サーバ装置の接続先情報と、売上データ処理装置の識別情報とを記憶した記憶媒体を接続する接続手段と、
前記記憶媒体に記憶された接続先情報及び識別情報を読み出す読出手段と、
前記読み出された接続先情報及び識別情報に基づいて前記サーバ装置の認証を受け、当該サーバ装置との通信を行う通信手段と、
を備える売上データ処理装置。
【請求項２】
前記サーバ装置との通信接続を指示するための入力手段を備え、
前記通信手段は、前記入力手段により前記サーバ装置との通信接続が指示されたとき、前記記憶媒体に記憶された接続先情報及び識別情報を読み出して前記サーバ装置との通信を行う請求項１に記載の売上データ処理装置。
【請求項３】
前記通信手段は、前記サーバ装置から提供されるサービス情報を受信し、
前記受信されたサービス情報をレシートに印字する印字手段を備える請求項１又は２に記載の売上データ処理装置。
【請求項４】
前記通信手段は、所定時間間隔で前記サーバ装置との通信を行う請求項１〜３の何れか一項に記載の売上データ処理装置。
【請求項５】
前記記憶媒体に記憶された前記接続先情報には、前記サーバ装置のグローバルＩＰアドレスが含まれ、
前記通信手段は、前記記憶媒体に記憶されたグローバルＩＰアドレスに基づいて前記サーバ装置との通信を確立した後、当該サーバ装置から割り当てられるプライベートＩＰアドレスに基づいて当該サーバ装置との通信を行う請求項１〜４の何れか一項に記載の売上データ処理装置。
【請求項６】
前記サーバ装置から売上データ処理装置に対し１又は複数種類のサービスが提供され、
前記記憶媒体に記憶される前記接続先情報には、前記サーバ装置で提供される各サービスに対応するポート番号が含まれる請求項１〜５の何れか一項に記載の売上データ処理装置。
【請求項７】
前記記憶媒体は、売上データ処理装置に着脱自在に接続されるメモリカードである請求項１〜６の何れか一項に記載の売上データ処理装置。
【請求項８】
コンピュータを、
通信ネットワークを介して売上データ処理装置に接続されたサーバ装置の接続先情報と、当該売上データ処理装置の識別情報とを記憶した記憶媒体を接続する手段、
前記記憶媒体に記憶された接続先情報及び識別情報を読み出す手段、
前記読み出された接続先情報及び識別情報に基づいて前記サーバ装置の認証を受け、当該サーバ装置との通信を行う手段、
として機能させるためのプログラム。
【発明の詳細な説明】
【技術分野】
【０００１】
本発明は、売上データ処理装置及びプログラムに関する。
【背景技術】
【０００２】
携帯電話、テレビ等においてインターネットに接続する場合、テンキーやリモートコントロールなど、ＰＣ（Personal Computer）のキーボードに比較してキー数が少ない入力装置を用いてＵＲＬ（Uniform Resource Locator）等の接続先情報を入力するのは困難である。そこで、近年、入力装置を用いて接続先情報を入力する代わりに、接続先情報が記憶された記憶媒体（メモリカード、ＩＣカード等）を用いてホームページ等に接続することが可能となっている（例えば、特許文献１〜３参照）。
【特許文献１】特開２００２−１０８７３７号公報
【特許文献２】特開２００６−３２３５３７号公報
【特許文献３】特開２００２−３１２３２５号公報
【発明の開示】
【発明が解決しようとする課題】
【０００３】
物販店、飲食店等の各種店舗には、店舗の売上データを処理するＥＣＲ（Electronic Cash Register：電子式金銭登録機）等の売上データ処理装置が設置されている。売上データ処理装置は、ＰＣ（Personal Computer）に比較すると入力装置のキー数及び用途が限定されているため、店舗がインターネット等の通信ネットワークを介して提供される各種のサービスを利用する場合、売上データ処理装置の入力装置を用いて接続先情報等を入力するのは困難である。そこで、上述のように接続先情報が記憶された記憶媒体を用いることによってサーバ装置に接続することが考えられる。しかしながら、売上データ処理装置は、元々用途及び機能が限定されているため、サーバ装置に接続することができても、サーバ装置から提供される情報を利用する仕組みが具体的に確立されていないのが現状である。
【０００４】
本発明の課題は、通信ネットワークを介して売上データ処理装置をサーバ装置に容易に接続し、サーバ装置との通信を可能とすることである。
【課題を解決するための手段】
【０００５】
請求項１に記載の発明は、通信ネットワークを介してサーバ装置に接続される売上データ処理装置であって、前記サーバ装置の接続先情報と、売上データ処理装置の識別情報とを記憶した記憶媒体を接続する接続手段と、前記記憶媒体に記憶された接続先情報及び識別情報を読み出す読出手段と、前記読み出された接続先情報及び識別情報に基づいて前記サーバ装置の認証を受け、当該サーバ装置との通信を行う通信手段と、を備える。
【０００６】
請求項２に記載の発明は、請求項１に記載の売上データ処理装置において、前記サーバ装置との通信接続を指示するための入力手段を備え、前記通信手段は、前記入力手段により前記サーバ装置との通信接続が指示されたとき、前記記憶媒体に記憶された接続先情報及び識別情報を読み出して前記サーバ装置との通信を行う。
【０００７】
請求項３に記載の発明は、請求項１又は２に記載の売上データ処理装置において、前記通信手段は、前記サーバ装置から提供されるサービス情報を受信し、前記受信されたサービス情報をレシートに印字する印字手段を備える。
【０００８】
請求項４に記載の発明は、請求項１〜３の何れか一項に記載の売上データ処理装置において、前記通信手段は、所定時間間隔で前記サーバ装置との通信を行う。
【０００９】
請求項５に記載の発明は、請求項１〜４の何れか一項に記載の売上データ処理装置において、前記記憶媒体に記憶された前記接続先情報には、前記サーバ装置のグローバルＩＰアドレスが含まれ、前記通信手段は、前記記憶媒体に記憶されたグローバルＩＰアドレスに基づいて前記サーバ装置との通信を確立した後、当該サーバ装置から割り当てられるプライベートＩＰアドレスに基づいて当該サーバ装置との通信を行う。
【００１０】
請求項６に記載の発明は、請求項１〜５の何れか一項に記載の売上データ処理装置において、前記サーバ装置から売上データ処理装置に対し１又は複数種類のサービスが提供され、前記記憶媒体に記憶される前記接続先情報には、前記サーバ装置で提供される各サービスに対応するポート番号が含まれる。
【００１１】
請求項７に記載の発明は、請求項１〜６の何れか一項に記載の売上データ処理装置において、前記記憶媒体は、売上データ処理装置に着脱自在に接続されるメモリカードである。
【００１２】
請求項８に記載の発明は、コンピュータを、通信ネットワークを介して売上データ処理装置に接続されたサーバ装置の接続先情報と、当該売上データ処理装置の識別情報とを記憶した記憶媒体を接続する手段、前記記憶媒体に記憶された接続先情報及び識別情報を読み出す手段、前記読み出された接続先情報及び識別情報に基づいて前記サーバ装置の認証を受け、当該サーバ装置との通信を行う手段、として機能させるためのプログラムである。
【発明の効果】
【００１３】
本発明によれば、記憶媒体に記憶された接続先情報を基に売上データ処理装置がサーバ装置に容易に接続され、サーバ装置との通信が可能となる。
【発明を実施するための最良の形態】
【００１４】
以下、図面を参照して本発明の実施形態を説明する。
まず、本実施形態における構成を説明する。
【００１５】
図１に、本実施形態に係る決済システム１００の全体構成を示す。決済システム１００は、図１に示すように、ＥＣＲ（Electronic Cash Register：電子式金銭登録機）等の売上データ処理装置１と、売上データ処理装置１に接続される決済端末２と、売上データ処理装置１に接続されるカードリーダ３と、サーバ装置としての情報センタサーバ４と、情報センタサーバ４に接続される決済センタサーバ５とを備えて構成される。
【００１６】
売上データ処理装置１と情報センタサーバ４とは、インターネット等の通信ネットワークＮを介して接続される。通信ネットワークＮにはＶＰＮ（Virtual Private Network）が構築されている。
【００１７】
なお、１台の情報センタサーバ４には、複数の店舗のそれぞれに設置された売上データ処理装置１が接続可能である。また、一店舗につき１台又は複数台の売上データ処理装置１が設置されている。また、図１では、カードリーダ３が売上データ処理装置１に接続される場合を示しているが、決済端末２に接続されていてもよい。
【００１８】
情報センタサーバ４は、通信ネットワークＮを介して売上データ処理装置１から送信される売上データ（商品の名称、売上金額など）を収集し、収集したデータを用いて各店舗を支援する店舗支援機能と、決済端末２から売上データ処理装置１を経由して送信される決済データ（例えば、カード番号、有効期限、支払金額等）を決済センタサーバ５で処理させるための決済機能と、を有する。
【００１９】
情報センタサーバ４は、これらの機能を実現させるために、店舗管理データベースと、サービスデータベースと、店舗支援データベースと、電子決済データベースと、を備える。
【００２０】
店舗管理データベースは、各店舗に設置された売上データ処理装置１を識別するための電子レジスタコード、売上データ処理装置１に接続された決済端末２を識別するための電子決済端末コード等のデータを格納している。サービスデータベースは、各店舗に設置された売上データ処理装置１に提供するサービスの認証データ（開設パスワードなど）、当該サービスの配信データ、センタメッセージの配信データ等を格納している。店舗支援データベースは、各店舗に設置された売上データ処理装置１の設定データ、点検データ、売上精算管理データ等を格納している。電子決済データベースは、決済端末２から売上データ処理装置１を経由して送信された決済データ等の電子決済に関するデータを格納している。
【００２１】
決済センタサーバ５は、ＣＡＦＩＳ（Credit And Finance Information System）（登録商標）等のサービス（クレジット会社、加盟店及び金融機関を通信回線で接続したクレジット決済に係る各種のサービス）を提供するためのサーバである。
【００２２】
図２に、売上データ処理装置１の主要部構成を示す。売上データ処理装置１は、図２に示すように、ＣＰＵ（Central Processing Unit）１０と、入力部１１と、表示部１２と、ＲＡＭ（Random Access Memory）１３と、記憶部１４と、通信部１５と、印字部１６と、ドロア１７と、決済端末２を接続するための接続部１８と、カードリーダ３を接続するための接続部１９と、メモリカードを接続するための接続部２０と、を備えて構成され、各部はバス２１を介して接続される。
【００２３】
ＣＰＵ１０は、記憶部１４に記憶された制御プログラムを読み出してＲＡＭ１３に展開し、各種の処理を実行する。
【００２４】
具体的にＣＰＵ１０は、売上データ処理装置１が情報センタサーバ４で提供される店舗支援サービスを利用する場合、接続部２０に接続（挿入）されているメモリカードα（後述）から、売上データ処理装置１を識別するための電子レジスタコードと、店舗支援ポート番号とを読み出し、通信部１５によって、店舗支援ポート番号を基に情報センタサーバ４の店舗支援ポートに接続させる。また、ＣＰＵ１０は、売上データ処理装置１が情報センタサーバ４で提供される電子決済サービスを利用する場合、決済端末２から、決済端末２に接続（挿入）されているメモリカードβ（後述）に記憶されている決済端末２を識別するための電子決済端末コードと、電子決済ポート番号とを受信し、通信部１５によって、この電子決済ポート番号を基に情報センタサーバ４の電子決済ポートに接続させる。
【００２５】
入力部１１は、売上データ処理装置１のモード（登録、精算、点検、戻、設定等）を切り換えるためのモードキー(あるいはモード切換スイッチ)、現金／預かり金キー、電子決済を指示するための電子決済キー、数値を入力するためのテンキー、文字を入力するための文字キー、情報センタサーバ４との通信接続を指示するための接続釦等の各種のキー又は釦を備え、キー又は釦の操作に応じた操作信号をＣＰＵ１０に出力する。
【００２６】
表示部１２は、ＬＣＤ（Liquid Crystal Display）等のディスプレイを有し、ＣＰＵ１０から入力される表示制御信号に従って、所要の表示処理を行う。
【００２７】
ＲＡＭ１３は、ＣＰＵ１０により実行される制御プログラムをプログラム格納エリアに展開する。また、ＲＡＭ１３は、入力データ及び制御プログラムの実行時に生じる処理結果のデータを、ワークエリアに一時的に格納する。また、ＲＡＭ１３は、取引毎に売上データを加算して記憶するための合計メモリを有する。
【００２８】
記憶部１４は、ＨＤＤ（Hard Disc Drive）又は不揮発性の半導体メモリ等により構成され、ＣＰＵ１０により実行される制御プログラム及びこの制御プログラムの実行時に必要なデータ等を記憶する。
【００２９】
通信部１５は、通信ネットワークＮを介して情報センタサーバ４に通信接続するための制御を行う。通信部１５は、接続部２０に接続されたメモリカードαに記憶されたグローバルＩＰアドレスに基づいて情報センタサーバ４との通信を確立した後、情報センタサーバ４から割り当てられるプライベートＩＰアドレスに基づいて情報センタサーバ４との通信を行う。
【００３０】
印字部１６は、例えばサーマルプリンタであり、顧客に渡すレシート用のロール紙と、店舗が保存するジャーナル用（商品取引内容の記録用）のロール紙を有し、ＣＰＵ１０から入力される印刷制御信号に従って、取引された商品の名称、金額等を売上明細として各ロール紙に印字する。
【００３１】
ドロア１７は、硬貨や紙幣等の現金を格納する引き出しであり、入力部１１の操作（現金／預かり金キーの押下操作）によるＣＰＵ１０からの信号により解放される。
【００３２】
接続部１８は、売上データ処理装置１を決済端末２にシリアル接続するための接続端子を有し、決済端末２との間でデータの送受信を行う。接続部１９は、キャッシュカード、クレジットカード等の磁気カード、ＩＣカードを接触型あるいは非接触型のリーダライタ(読取書込装置)により読み取るカードリーダ３を接続するための接続端子を有し、カードリーダ３から入力された読取データを受信する。
【００３３】
接続部２０は、コネクタ、ソケット等から構成され、メモリカードαが接続される。メモリカードαには、売上データ処理装置１の識別情報としての電子レジスタコードと、情報センタサーバ４の接続先情報（情報センタサーバ４のグローバルＩＰアドレス、情報センタサーバ４で提供される各種サービスのポート番号（端末管理ポート番号、店舗支援ポート番号））が記憶されている。ＣＰＵ１０は、メモリカードαに記憶された接続先情報を読み出して、情報センタサーバ４にアクセスする。
【００３４】
図３に、決済端末２の主要部構成を示す。決済端末２は、図３に示すように、ＣＰＵ（Central Processing Unit）２０１と、入力部２０２と、表示部２０３と、売上データ処理装置１を接続するための接続部２０４と、ＲＡＭ（Random Access Memory）２０５と、記憶部２０６と、接触型リーダライタ２０７と、非接触型リーダライタ２０８と、メモリカードを接続するための接続部２０９と、を備えて構成され、各部はバス２１０を介して接続される。
【００３５】
ＣＰＵ２０１は、記憶部２０６に記憶された制御プログラムを読み出してＲＡＭ２０５に展開し、各種の処理を実行する。
【００３６】
入力部２０２は、数字入力キー等の機能キーを有し、キー操作による操作信号をＣＰＵ２０１に出力する。
【００３７】
表示部２０３は、ＬＣＤ（Liquid Crystal Display）等のディスプレイを有し、ＣＰＵ２０１から入力される表示制御信号に従って、所要の表示処理を行う。
【００３８】
接続部２０４は、決済端末２を売上データ処理装置１にシリアル接続するための接続端子を有し、売上データ処理装置１とのデータの送受信を行う。
【００３９】
ＲＡＭ２０５は、ＣＰＵ２０１により実行される制御プログラムをプログラム格納エリアに展開する。また、ＲＡＭ２０５は、入力データ及び制御プログラムの実行時に生じる処理結果のデータを、ワークエリアに一時的に格納する。また、ＲＡＭ２０５は、電子決済による取引毎の取引データ（決済データ、電子決済による取引の可否（承認情報）など）、決済センタサーバ５から売上データ処理装置１を介して受信したＤＬＬ（Dynamic Link Library）のデータ、ネガデータ等を格納する。
【００４０】
ここでＤＬＬとは、複数のアプリケーションが共通して利用するような汎用性の高いプログラムを部品化してファイルとして保存しておき、必要に応じてメモリに呼び出して利用する手法を意味する。電子決済におけるＤＬＬのデータは、例えば、クレジットカード会社毎に異なるボーナス払いに関するデータ、リボ払いの回数のデータなどが含まれる。
【００４１】
記憶部２０６は、ＨＤＤ（Hard Disc Drive）又は不揮発性の半導体メモリ等により構成され、ＣＰＵ２０１により実行される制御プログラム及びこの制御プログラムの実行時に必要なデータ等を記憶する。
【００４２】
接触型リーダライタ２０７は、接触型のＩＣチップが内蔵された記録媒体であるＩＣカードを接触させるための接触端子を有し、ＩＣカードが接触端子に接触したときに、ＩＣカードに記憶されたデータ（カード番号、有効期限など）の読み取りやデータの書き込みなどを行う。
【００４３】
非接触型リーダライタ２０８は、非接触型のＩＣチップが内蔵された記録媒体が読み書き可能な距離内にある場合に、無線通信によって当該記録媒体に記録されたデータの読み取りや書き込みを行う。この記録媒体としては、非接触型のＩＣチップが内蔵されたクレジット機能を有する携帯端末(携帯電話、ＰＤＡ等)がある。
【００４４】
接続部２０９は、コネクタ、ソケット等から構成され、メモリカードβが接続される。メモリカードβには、決済端末２の識別情報としての電子決済端末コード、売上データ処理装置１が電子決済ポートに接続するための電子決済ポート番号等のデータが記憶されている。
【００４５】
次に、図４〜図１６を参照して、本実施形態における動作を説明する。
【００４６】
まず、図４〜図８のフローチャートを参照して、店舗の始業時に売上データ処理装置１のＣＰＵ１０の制御の下で実行される開設処理と、この売上データ処理装置１の開設処理に伴って決済端末２、情報センタサーバ４及び決済センタサーバ５において実行される処理について説明する。
【００４７】
売上データ処理装置１では、まず、入力部１１の操作により開設パスワードが入力されると（ステップＳ１；ＹＥＳ）、その入力された開設パスワードがＲＡＭ１３に記憶される（ステップＳ２）。ステップＳ２の後に入力部１１の接続釦が押下されたとき、又は開設パスワードが入力されずに入力部１１の接続釦が押下されると（ステップＳ３）、接続部２０にメモリカードαが挿入されているか否かが判定される（ステップＳ４）。
【００４８】
ステップＳ４においてメモリカードαが挿入されていないと判定された場合（ステップＳ４；ＮＯ）、エラー処理が行われ（ステップＳ５）、本開設処理が終了する。一方、ステップＳ４においてメモリカードαが挿入されていると判定された場合（ステップＳ４；ＹＥＳ）、決済端末２にメモリカードβが挿入されているか否かが判定される（ステップＳ６）。
【００４９】
ステップＳ６においてメモリカードβが挿入されていると判定された場合（ステップＳ６；ＹＥＳ）、決済端末２に対し、電子決済端末コードの送信を要求するデータが送信される（ステップＳ７）。一方、ステップＳ６においてメモリカードβが挿入されていないと判定された場合（ステップＳ６；ＮＯ）、後述のステップＳ９へ移行する。
【００５０】
決済端末２では、売上データ処理装置１から電子決済端末コードの送信が要求されると（ステップＰ１；ＹＥＳ）、メモリカードβに記憶された電子決済端末コードが読み出され、売上データ処理装置１に送信される（ステップＰ２）。
【００５１】
売上データ処理装置１では、決済端末２から電子決済端末コードが受信されると（ステップＳ８；ＹＥＳ）、又はステップＳ６においてメモリカードβが挿入されていないと判定された場合（ステップＳ６；ＮＯ）、情報センタサーバ４に対し、開設要求が行われる（ステップＳ９）。
【００５２】
ステップＳ９では、具体的に、ステップＳ１で入力された開設パスワードと、メモリカードαに記憶された電子レジスタコードと、決済端末２から受信した電子決済端末コードとを情報センタサーバ４に送信することによって開設要求がなされる。なお、ステップＳ１において開設パスワードが入力されなかった場合、決済端末２にメモリカードβが挿入されていない場合には、それぞれ、開設パスワード、電子決済端末コードは送信されない。
【００５３】
情報センタサーバ４では、売上データ処理装置１から開設要求がない場合には（ステップＣ１；ＮＯ）、売上データ処理装置１に対する開設処理とは異なる他の処理が行われる（ステップＣ２）。一方、売上データ処理装置１から開設要求があった場合（ステップＣ１；ＹＥＳ）、売上データ処理装置１から送信されたデータに開設パスワードが含まれるか否かが判定される（ステップＣ３）。
【００５４】
ステップＣ３において開設パスワードが含まれていると判定された場合（ステップＣ３；ＹＥＳ）、サービスデータベースを用いてその開設パスワードの認証処理が行われ、認証がＯＫであるか否かが判定される（ステップＣ４）。
【００５５】
ステップＣ４において開設パスワードの認証がＯＫであると判定された場合（ステップＣ４；ＹＥＳ）、又はステップＣ３において開設パスワードが含まれていないと判定された場合（ステップＣ３；ＮＯ）、店舗管理データベースを用いて、売上データ処理装置１から送信された電子レジスタコードの認証処理が行われ、認証がＯＫであるか否かが判定される（ステップＣ５）。
【００５６】
ステップＣ５において電子レジスタコードの認証がＯＫであると判定された場合（ステップＣ５；ＹＥＳ）、売上データ処理装置１から送信されたデータに電子決済端末コードが含まれているか否かが判定される（ステップＣ６）。
【００５７】
ステップＣ６において電子決済端末コードが含まれていると判定された場合（ステップＣ６；ＹＥＳ）、店舗管理データベースを用いてその電子決済端末コードの認証処理が行われ、認証がＯＫであるか否かが判定される（ステップＣ７）。
【００５８】
ステップＣ４において開設パスワードの認証がＮＧであると判定された場合（ステップＣ４；ＮＯ）、又はステップＣ５において電子レジスタコードの認証がＮＧであると判定された場合（ステップＣ５；ＮＯ）、又はステップＣ７において電子決済端末コードの認証がＮＧであると判定された場合（ステップＣ７；ＮＯ）、エラーメッセージが売上データ処理装置１に送信され（ステップＣ８）、情報センタサーバ４における処理が終了する。
【００５９】
ステップＣ７において電子決済端末コードの認証がＯＫであると判定された場合（ステップＣ７；ＹＥＳ）、又はステップＣ６において電子決済端末コードが含まれていないと判定された場合（ステップＣ６；ＮＯ）、後述のステップＣ９に移行する。
【００６０】
売上データ処理装置１では、情報センタサーバ４から送信された認証結果がＯＫであるか否かが判定される（ステップＳ１０）。ステップＳ１０において認証結果がＮＧであると判定された場合、即ち、情報センタサーバ４からエラーメッセージが送信された場合（ステップＳ１０；ＮＯ）、そのエラーメッセージが印字部１６においてレシートに印字され（ステップＳ１１）、本開設処理が終了する。
【００６１】
一方、ステップＳ１０において認証結果がＯＫであると判定された場合（ステップＳ１０；ＹＥＳ）、メモリカードαから端末管理ポート番号が読み出され、情報センタサーバ４の端末管理ポートに接続される（ステップＳ１２）。
【００６２】
売上データ処理装置１が端末管理ポートに接続されると、情報センタサーバ４では、サービスデータベースに格納されたサービス情報のデータが売上データ処理装置１に送信され（ステップＣ９）、売上データ処理装置１では当該サービス情報のデータが受信される（ステップＳ１３）。
【００６３】
そして、情報センタサーバ４では、サービスデータベースに格納されたセンタメッセージのデータが確認され、当該センタメッセージのデータが売上データ処理装置１に送信される（ステップＣ１０）。
【００６４】
売上データ処理装置１では、センタメッセージのデータを受信すると（ステップＳ１４）、端末管理ポートへの接続が切断され（ステップＳ１５）、メモリカードαから店舗支援ポート番号が読み出され、情報センタサーバ４の店舗支援ポートに接続される（ステップＳ１６）。
【００６５】
情報センタサーバ４では、売上データ処理装置１が店舗支援ポートに接続されると、店舗支援データベースに格納された店舗支援レジ設定のデータが確認され、当該データが売上データ処理装置１に送信される（ステップＣ１１）。
【００６６】
売上データ処理装置１では、店舗支援レジ設定のデータを受信すると（ステップＳ１７）、売上データ処理装置１の点検データが情報センタサーバ４に送信される（ステップＳ１８）。
【００６７】
情報センタサーバ４では、売上データ処理装置１から点検データが受信され、当該点検データが店舗支援データベースに保存される（ステップＣ１２）。次いで、店舗支援データベースに格納されたオーナーメッセージのデータが確認され、当該データが売上データ処理装置１に送信される（ステップＣ１３）。
【００６８】
売上データ処理装置１では、情報センタサーバ４からオーナーメッセージを受信すると（ステップＳ１９）、店舗支援ポートへの接続が切断される（ステップＳ２０）。次いで、決済端末２が使用されているか否かが判定される（ステップＳ２１）。
【００６９】
ステップＳ２１において決済端末２が使用されていないと判定された場合（ステップＳ２１；ＮＯ）、本開設処理が終了する。一方、ステップＳ２１において決済端末２が使用されていると判定された場合（ステップＳ２１；ＹＥＳ）、決済端末２のメモリカードβに記憶された電子決済ポート番号を基に、売上データ処理装置１が情報センタサーバ４の電子決済ポートに接続される（ステップＳ２２）。
【００７０】
情報センタサーバ４では、売上データ処理装置１が電子決済ポートに接続されると、決済センタサーバ５に対し、ＤＬＬのデータ及びネガデータの送信を要求するデータが送信される（ステップＣ１４）。
【００７１】
決済センタサーバ５では、情報センタサーバ４からの要求を受け付けると（ステップＴ１；ＹＥＳ）、ＤＬＬのデータ及びネガデータが情報センタサーバ４に送信される（ステップＴ２）。
【００７２】
情報センタサーバ４では、決済センタサーバ５からＤＬＬのデータ及びネガデータを受信すると（ステップＣ１５；ＹＥＳ）、その受信したデータが売上データ処理装置１に送信される（ステップＣ１６）。
【００７３】
売上データ処理装置１では、情報センタサーバ４からＤＬＬのデータ及びネガデータを受信すると（ステップＳ２３；ＹＥＳ）、その受信したデータが決済端末２に送信される（ステップＳ２４）。
【００７４】
決済端末２では、売上データ処理装置１からＤＬＬのデータ及びネガデータを受信すると（ステップＰ３；ＹＥＳ）、ＲＡＭ２０５に記憶されたＤＬＬのデータ及びネガデータが、受信したデータに更新され（ステップＰ４）、ステップＰ４での処理結果が売上データ処理装置１に送信される（ステップＰ５）。
【００７５】
売上データ処理装置１では、決済端末２から受信した処理結果がＯＫであるか否かが判定される（ステップＳ２５）。ステップＳ２５において処理結果がＯＫであると判定された場合（ステップＳ２５；ＹＥＳ）、又はステップＳ２３においてＤＬＬのデータ及びネガデータが受信されなかった場合（ステップＳ２３；ＮＯ）、ステップＳ１３で受信したサービス情報に基づいて、情報センタサーバ４で提供されるサービス内容が印字部１６においてレシートに印字される（ステップＳ２６）。
【００７６】
ステップＳ２５において処理結果がＮＧであると判定された場合（ステップＳ２５；ＮＯ）、印字部１６においてエラーメッセージがレシートに印字される（ステップＳ２７）。ステップＳ２６又はＳ２７の後、電子決済ポートへの接続が切断され（ステップＳ２８）、本開設処理が終了する。
【００７７】
次に、図９及び図１０のフローチャートを参照して、始業時の開設処理後、所定時間間隔（例えば３０分間隔）で売上データ処理装置１のＣＰＵ１０の制御の下で実行される自動処理と、この売上データ処理装置１の処理に伴って情報センタサーバ４において実行される処理について説明する。
【００７８】
売上データ処理装置１では、自動処理の実行時刻になると（ステップＳ３１；ＹＥＳ）、ＲＡＭ１３に開設パスワードがあるか（記憶されているか）否かが判定される（ステップＳ３２）。ステップＳ３２において開設パスワードがあると判定された場合（ステップＳ３２；ＹＥＳ）、ＲＡＭ１３に記憶された開設パスワードが読み出される（ステップＳ３３）。
【００７９】
ステップＳ３３の後、又はステップＳ３２において開設パスワードがないと判定された場合（ステップＳ３２；ＮＯ）、接続部２０にメモリカードαが挿入されているか否かが判定される（ステップＳ３４）。
【００８０】
ステップＳ３４においてメモリカードαが挿入されていないと判定された場合（ステップＳ３４；ＮＯ）、エラー処理が行われ（ステップＳ３５）、本自動処理が終了する。一方、ステップＳ３４においてメモリカードαが挿入されていると判定された場合（ステップＳ３４；ＹＥＳ）、情報センタサーバ４に対し開設要求が行われる（ステップＳ３６）。
【００８１】
ステップＳ３６では、具体的に、ステップＳ３３でＲＡＭ１３から読み出された開設パスワードと、メモリカードαに記憶された電子レジスタコードとを情報センタサーバ４に送信することによって開設要求がなされる。なお、ＲＡＭ１３に開設パスワードが記憶されていない場合には、ステップＳ３６において開設パスワードは送信されない。
【００８２】
情報センタサーバ４では、売上データ処理装置１から開設要求がない場合には（ステップＣ２１；ＮＯ）、売上データ処理装置１に対する開設処理とは異なる他の処理が行われる（ステップＣ２２）。一方、売上データ処理装置１から開設要求があった場合（ステップＣ２１；ＹＥＳ）、売上データ処理装置１から送信されたデータに開設パスワードが含まれるか否かが判定される（ステップＣ２３）。
【００８３】
ステップＣ２３において開設パスワードが含まれていると判定された場合（ステップＣ２３；ＹＥＳ）、サービスデータベースを用いてその開設パスワードの認証処理が行われ、認証がＯＫであるか否かが判定される（ステップＣ２４）。
【００８４】
ステップＣ２４において開設パスワードの認証がＯＫであると判定された場合（ステップＣ２４；ＹＥＳ）、又はステップＣ２３において開設パスワードが含まれていないと判定された場合（ステップＣ２３；ＮＯ）、店舗管理データベースを用いて、売上データ処理装置１から送信された電子レジスタコードの認証処理が行われ、認証がＯＫであるか否かが判定される（ステップＣ２５）。
【００８５】
ステップＣ２４において開設パスワードの認証がＮＧであると判定された場合（ステップＣ２４；ＮＯ）、又はステップＣ２５において電子レジスタコードの認証がＮＧであると判定された場合（ステップＣ２５；ＮＯ）、エラーメッセージが売上データ処理装置１に送信され（ステップＣ２６）、情報センタサーバ４における処理が終了する。
【００８６】
売上データ処理装置１では、情報センタサーバ４から送信された認証結果がＯＫであるか否かが判定される（ステップＳ３７）。ステップＳ３７において認証結果がＮＧであると判定された場合、即ち、情報センタサーバ４からエラーメッセージが送信された場合（ステップＳ３７；ＮＯ）、そのエラーメッセージが印字部１６においてレシートに印字され（ステップＳ３８）、本自動処理が終了する。
【００８７】
一方、ステップＳ３７において認証結果がＯＫであると判定された場合（ステップＳ３７；ＹＥＳ）、メモリカードαから店舗支援ポート番号が読み出され、情報センタサーバ４の店舗支援ポートに接続される（ステップＳ３９）。そして、売上データ処理装置１の点検データが情報センタサーバ４に送信される（ステップＳ４０）。
【００８８】
情報センタサーバ４では、ステップＣ２５において電子レジスタコードの認証がＯＫであると判定された後（ステップＣ２５；ＹＥＳ）、売上データ処理装置１から点検データを受信すると、当該点検データが店舗支援データベースに保存される（ステップＣ２７）。次いで、店舗支援データベースに格納されたオーナーメッセージのデータが確認され、当該データが売上データ処理装置１に送信され（ステップＣ２８）、情報センタサーバ４における処理が終了する。
【００８９】
売上データ処理装置１では、情報センタサーバ４からオーナーメッセージを受信すると（ステップＳ４１）、受信結果がＯＫであるか否かが判定される（ステップＳ４２）。ステップＳ４２において受信結果がＮＧであると判定された場合（ステップＳ４２；ＮＯ）、印字部１６においてエラーメッセージがレシートに印字される（ステップＳ４３）。
【００９０】
一方、ステップＳ４２において受信結果がＯＫであると判定された場合（ステップＳ４２；ＹＥＳ）、情報センタサーバ４から提供されるオーナーメッセージが印字部１６においてレシートに印字される（ステップＳ４４）。
【００９１】
ステップＳ４３又はＳ４４の後、店舗支援ポートへの接続が切断され（ステップＳ４５）、本自動処理が終了する。
【００９２】
次に、図１１〜図１６のフローチャートを参照して、終業時に売上データ処理装置１のＣＰＵ１０の制御の下で実行される閉設処理と、この売上データ処理装置１の閉設処理に伴って決済端末２及び情報センタサーバ４において実行される処理について説明する。
【００９３】
売上データ処理装置１では、まず、現在のモードが「精算」であるか否かが判定される（ステップＳ５０）。ステップＳ５０において現在のモードが「精算」ではないと判定された場合（ステップＳ５０；ＮＯ）、他のモード処理が行われる（ステップＳ５１）。
【００９４】
一方、ステップＳ５０において現在のモードが「精算」であると判定された場合（ステップＳ５０；ＹＥＳ）、その「精算」が日計精算であるか否かが判定される（ステップＳ５２）。ステップＳ５２において日計精算ではないと判定された場合（ステップＳ５２；ＮＯ）、日計精算以外の通常の精算処理が行われる（ステップＳ５３）。
【００９５】
一方、ステップＳ５２において日計精算であると判定された場合（ステップＳ５２；ＹＥＳ）、ＲＡＭ１３に開設パスワードがあるか（記憶されているか）否かが判定される（ステップＳ５４）。ステップＳ５４において開設パスワードがあると判定された場合（ステップＳ５４；ＹＥＳ）、ＲＡＭ１３に記憶された開設パスワードが読み出される（ステップＳ５５）。
【００９６】
ステップＳ５５の後、又はステップＳ５４において開設パスワードがないと判定された場合（ステップＳ５４；ＮＯ）、接続部２０にメモリカードαが挿入されているか否かが判定される（ステップＳ５６）。
【００９７】
ステップＳ５６においてメモリカードαが挿入されていないと判定された場合（ステップＳ５６；ＮＯ）、エラー処理が行われ（ステップＳ５７）、本閉設処理が終了する。
【００９８】
一方、ステップＳ５６においてメモリカードαが挿入されていると判定された場合（ステップＳ５６；ＹＥＳ）、決済端末２にメモリカードβが挿入されているか否かが判定される（ステップＳ５８）。
【００９９】
ステップＳ５８においてメモリカードβが挿入されていると判定された場合（ステップＳ５８；ＹＥＳ）、決済端末２に対し、電子決済端末コードの送信を要求するデータが送信される（ステップＳ５９）。一方、ステップＳ５８においてメモリカードβが挿入されていないと判定された場合（ステップＳ５８；ＮＯ）、後述のステップＳ６１へ移行する。
【０１００】
決済端末２では、売上データ処理装置１から電子決済端末コードの送信が要求されると（ステップＰ１０；ＹＥＳ）、メモリカードβに記憶された電子決済端末コードが読み出され、売上データ処理装置１に送信される（ステップＰ１１）。
【０１０１】
売上データ処理装置１では、決済端末２から電子決済端末コードが受信されると（ステップＳ６０；ＹＥＳ）、又はステップＳ５８においてメモリカードβが挿入されていないと判定された場合（ステップＳ５８；ＮＯ）、情報センタサーバ４に対し、開設要求が行われる（ステップＳ６１）。
【０１０２】
ステップＳ６１では、具体的に、ステップＳ５５でＲＡＭ１３から読み出された開設パスワードと、メモリカードαに記憶された電子レジスタコードと、決済端末２から受信した電子決済端末コードとを情報センタサーバ４に送信することによって開設要求がなされる。なお、ＲＡＭ１３に開設パスワードが記憶されていなかった場合、決済端末２にメモリカードβが挿入されていない場合には、それぞれ、開設パスワード、電子決済端末コードは送信されない。
【０１０３】
情報センタサーバ４では、売上データ処理装置１から開設要求がない場合には（ステップＣ３１；ＮＯ）、売上データ処理装置１に対する開設処理とは異なる他の処理が行われる（ステップＣ３２）。一方、売上データ処理装置１から開設要求があった場合（ステップＣ３１；ＹＥＳ）、売上データ処理装置１から送信されたデータに開設パスワードが含まれるか否かが判定される（ステップＣ３３）。
【０１０４】
ステップＣ３３において開設パスワードが含まれていると判定された場合（ステップＣ３３；ＹＥＳ）、サービスデータベースを用いてその開設パスワードの認証処理が行われ、認証がＯＫであるか否かが判定される（ステップＣ３４）。
【０１０５】
ステップＣ３４において開設パスワードの認証がＯＫであると判定された場合（ステップＣ３４；ＹＥＳ）、又はステップＣ３３において開設パスワードが含まれていないと判定された場合（ステップＣ３３；ＮＯ）、店舗管理データベースを用いて、売上データ処理装置１から送信された電子レジスタコードの認証処理が行われ、認証がＯＫであるか否かが判定される（ステップＣ３５）。
【０１０６】
ステップＣ３５において電子レジスタコードの認証がＯＫであると判定された場合（ステップＣ３５；ＹＥＳ）、売上データ処理装置１から送信されたデータに電子決済端末コードが含まれているか否かが判定される（ステップＣ３６）。
【０１０７】
ステップＣ３６において電子決済端末コードが含まれていると判定された場合（ステップＣ３６；ＹＥＳ）、店舗管理データベースを用いてその電子決済端末コードの認証処理が行われ、認証がＯＫであるか否かが判定される（ステップＣ３７）。
【０１０８】
ステップＣ３４において開設パスワードの認証がＮＧであると判定された場合（ステップＣ３４；ＮＯ）、又はステップＣ３５において電子レジスタコードの認証がＮＧであると判定された場合（ステップＣ３５；ＮＯ）、又はステップＣ３７において電子決済端末コードの認証がＮＧであると判定された場合（ステップＣ３７；ＮＯ）、エラーメッセージが売上データ処理装置１に送信され（ステップＣ３８）、情報センタサーバ４における処理が終了する。
【０１０９】
ステップＣ３７において電子決済端末コードの認証がＯＫであると判定された場合（ステップＣ３７；ＹＥＳ）、又はステップＣ３６において電子決済端末コードが含まれていないと判定された場合（ステップＣ３６；ＮＯ）、後述のステップＣ３９に移行する。
【０１１０】
売上データ処理装置１では、情報センタサーバ４から送信された認証結果がＯＫであるか否かが判定される（ステップＳ６２）。ステップＳ６２において認証結果がＮＧであると判定された場合、即ち、情報センタサーバ４からエラーメッセージが送信された場合（ステップＳ６２；ＮＯ）、そのエラーメッセージが印字部１６においてレシートに印字され（ステップＳ６３）、本閉設処理が終了する。
【０１１１】
一方、ステップＳ６２において認証結果がＯＫであると判定された場合（ステップＳ６２；ＹＥＳ）、メモリカードαから端末管理ポート番号が読み出され、情報センタサーバ４の端末管理ポートに接続される（ステップＳ６４）。
【０１１２】
売上データ処理装置１が端末管理ポートに接続されると、情報センタサーバ４では、サービスデータベースに格納されたセンタメッセージのデータが確認され、当該センタメッセージのデータが売上データ処理装置１に送信される（ステップＣ３９）。
【０１１３】
売上データ処理装置１では、センタメッセージのデータを受信すると（ステップＳ６５）、売上データ処理装置１に設定されている電子レジスタのソフトウェアが確認され（ステップＳ６６）、端末管理ポートへの接続が切断される（ステップＳ６７）。
【０１１４】
次いで、メモリカードαから店舗支援ポート番号が読み出され、情報センタサーバ４の店舗支援ポートに接続される（ステップＳ６８）。そして、売上データ処理装置１の精算データ（一日の売上データ）が情報センタサーバ４に送信される（ステップＳ６９）。
【０１１５】
情報センタサーバ４では、売上データ処理装置１から精算データが受信され、当該精算データが店舗支援データベースに保存される（ステップＣ４０）。
【０１１６】
売上データ処理装置１では、精算データを送信後、店舗支援ポートへの接続が切断される（ステップＳ７０）。次いで、電子レジスタの更新ソフトウェアがあるか否かが判定される（ステップＳ７１）。
【０１１７】
ステップＳ７１において電子レジスタの更新ソフトウェアがあると判定された場合（ステップＳ７１；ＹＥＳ）、メモリカードαから端末管理ポート番号が読み出され、情報センタサーバ４の端末管理ポートに接続される（ステップＳ７２）。
【０１１８】
情報センタサーバ４では、ステップＣ４０の後、電子レジスタのソフトウェアが更新されたか否かが判定される（ステップＣ４１）。ステップＣ４１において電子レジスタのソフトウェアが更新されていないと判定された場合（ステップＣ４１；ＮＯ）、後述のステップＣ４３に移行する。
【０１１９】
一方、ステップＣ４１において電子レジスタのソフトウェアが更新されたと判定され（ステップＣ４１；ＹＥＳ）、更に、売上データ処理装置１が端末管理ポートに接続されると、電子レジスタのソフトウェアが売上データ処理装置１に送信される（ステップＣ４２）。
【０１２０】
売上データ処理装置１では、情報センタサーバ４から電子レジスタのソフトウェアを受信すると（ステップＳ７３）、端末管理ポートへの接続が切断される（ステップＳ７４）。そして、更新された電子レジスタのソフトウェアがメモリカードαに書き込まれる（ステップＳ７５）。
【０１２１】
ステップＳ７５の後、又はステップＳ７１において電子レジスタの更新ソフトウェアがないと判定された場合（ステップＳ７１；ＮＯ）、決済端末２が使用されているか否かが判定される（ステップＳ７６）。ステップＳ７６において決済端末２が使用されていないと判定された場合（ステップＳ７６；ＮＯ）、後述のステップＳ８９に移行する。
【０１２２】
一方、ステップＳ７６において決済端末２が使用されていると判定された場合（ステップＳ７６；ＹＥＳ）、決済端末２に対し、タンキングデータ（電子決済による取引データ蓄積したデータ）の送信を要求するデータが送信される（ステップＳ７７）。
【０１２３】
決済端末２では、売上データ処理装置１からタンキングデータの送信が要求されると（ステップＰ１２；ＹＥＳ）、ＲＡＭ２０５に蓄積されたタンキングデータが売上データ処理装置１に送信される（ステップＰ１３）。
【０１２４】
売上データ処理装置１では、決済端末２からタンキングデータを受信すると（ステップＳ７８；ＹＥＳ）、決済端末２のメモリカードβに記憶された電子決済ポート番号を基に、売上データ処理装置１が情報センタサーバ４の電子決済ポートに接続される（ステップＳ７９）。そして、決済端末２から受信したタンキングデータが情報センタサーバ４に送信される（ステップＳ８０）。
【０１２５】
情報センタサーバ４では、売上データ処理装置１からタンキングデータが受信されると（ステップＣ４３；ＹＥＳ）、そのタンキングデータが図示しないアクワイヤラ（クレジットカード決算機関）に送信される（ステップＣ４４）。アクワイヤラから処理結果のデータが受信されると（ステップＣ４５；ＹＥＳ）、その処理結果のデータが売上データ処理装置１に送信される（ステップＣ４６）。
【０１２６】
売上データ処理装置１では、情報センタサーバ４から受信した処理結果がＯＫであるか否かが判定される（ステップＳ８１）。
【０１２７】
ステップＳ８１において処理結果がＮＧであると判定された場合（ステップＳ８１；ＮＯ）、決済端末２に対し、タンキングデータの保持を要求するデータが送信される（ステップＳ８２）。
【０１２８】
決済端末２では、売上データ処理装置１からタンキングデータの保持が要求されると（ステップＰ１４；ＮＯ）、ＲＡＭ２０５に格納されたタンキングデータが保持され（ステップＰ１６）、決済端末２での処理が終了する。
【０１２９】
売上データ処理装置１では、ステップＳ８２の後、エラー処理が行われ（ステップＳ８３）、電子決済ポートへの接続が切断され（ステップＳ８４）、本閉設処理が終了する。
【０１３０】
ステップＳ８１において処理結果がＯＫであると判定された場合（ステップＳ８１；ＹＥＳ）、決済端末２に対し、タンキングデータのクリアを要求するデータが送信される（ステップＳ８５）。
【０１３１】
決済端末２では、売上データ処理装置１からタンキングデータのクリアが要求されると（ステップＰ１４；ＹＥＳ）、ＲＡＭ２０５に格納されたタンキングデータがクリアされる（ステップＰ１５）。
【０１３２】
売上データ処理装置１では、ステップＳ８５の後、部門別、担当別の売上の詳細等を印字部１６によりレシート用紙又はジャーナル用紙に印字した精算レポートが発行される（ステップＳ８６）。精算レポート発行後、ＲＡＭ１３の合計メモリがクリアされ（ステップＳ８７）、電子決済ポートへの接続が切断される（ステップＳ８８）。
【０１３３】
情報センタサーバ４では、ステップＣ４６の後、決済端末２の更新ソフトウェアが売上データ処理装置１に送信され（ステップＣ４７）、情報センタサーバ４での処理が終了する。
【０１３４】
売上データ処理装置１では、決済端末２の更新ソフトウェアが受信（ダウンロード）されると（ステップＳ８９；ＹＥＳ）、決済端末２に対し、ソフトウェアの更新を要求するデータが送信される（ステップＳ９０）。
【０１３５】
決済端末２では、売上データ処理装置１からの要求を受け付けると、決済端末２の更新ソフトウェアが受信済み（ダウンロード済み）であるか否かが判定される（ステップＰ１７）。ステップＰ１７において更新ソフトウェアが受信済みではないと判定された場合（ステップＰ１７；ＮＯ）、決済端末２での処理が終了する。一方、ステップＰ１７において更新ソフトウェアが受信済みであると判定された場合（ステップＰ１７；ＹＥＳ）、決済端末２のソフトウェアが更新され（ステップＰ１８）、決済端末２での処理が終了する。
【０１３６】
売上データ処理装置１では、ステップＳ９０の後、又はステップＳ８９において決済端末２の更新ソフトウェアが受信されなかった場合（ステップＳ８９；ＮＯ）、電子レジスタの更新ソフトウェアが受信済み（ダウンロード済み）であるか否かが判定される（ステップＳ９１）。
【０１３７】
ステップＳ９１において電子レジスタの更新ソフトウェアが受信済みであると判定された場合（ステップＳ９１；ＹＥＳ）、電子レジスタのソフトウェアが、ステップＳ７５においてメモリカードαに書き込まれたソフトウェアに更新され（ステップＳ９２）、本閉設処理が終了する。
【０１３８】
一方、ステップＳ９１において電子レジスタの更新ソフトウェアが受信済みでないと判定された場合（ステップＳ９１；ＮＯ）、電子レジスタのソフトウェアが更新されることなく、本閉設処理が終了する。
【０１３９】
以上のように、本実施形態の売上データ処理装置１によれば、メモリカードに記憶された接続先情報（グローバルＩＰアドレス、ポート番号）を基に売上データ処理装置１が情報センタサーバ４に容易に接続され、情報センタサーバ４との通信が可能になり、情報センタサーバ４から提供される情報を利用することが可能となる。
【０１４０】
特に、入力部１１の接続釦の押下という簡単な操作によって情報センタサーバ４と通信が可能になる。
【０１４１】
また、情報センタサーバ４から提供されるサービス内容をレシートに印字することにより、売上データ処理装置１のユーザ（店舗の店員）は、容易にサービス内容を取得することが可能となる。
【０１４２】
また、店舗の開店時（開設時）だけでなく、所定時間間隔で売上データ処理装置１を情報センタサーバ４に接続させることにより、情報センタサーバ４で提供される最新のサービス内容を取得することが可能となる。
【０１４３】
なお、本実施形態の売上データ処理装置１は、ＩＤやパスワードの制約を取り払い、自由度を広げるため、記憶媒体に記憶する電子レジスタコード等は、ユーザが設定してもよく、またＡＳＰ等で生成・指定されたものでも使用できる。
【０１４４】
さらに、本実施形態の売上データ処理装置１によれば、メモリカードには、電子レジスタコードが記憶されているため、レジスタが故障した場合には、別のレジスタに元の記憶媒体を挿入することで、レジスタを動作させることができ保守面からの素早い対応が可能であることから、保守や修理等でレジスタを交換する場合でも、記憶媒体を代替品に移動させることで必要な情報の再設定を行わずに対応することができる。従来のＰＯＳシステムでは、これらの情報がレジスタ内部に格納されているため、再度設定しなおす必要があったが、本実施形態の売上データ処理装置１によれば、再度設定しなおす必要がなくなるという効果が得られる。
【図面の簡単な説明】
【０１４５】
【図１】本発明の実施形態に係る決済システムの全体構成を示す図。
【図２】本実施形態に係る売上データ処理装置の主要部構成を示すブロック図。
【図３】本実施形態に係る決済端末の主要部構成を示すブロック図。
【図４】店舗の始業時に売上データ処理装置のＣＰＵの制御の下で実行される開設処理を示すフローチャートと、この売上データ処理装置の開設処理に伴って決済端末において実行される処理を示すフローチャート。
【図５】売上データ処理装置において実行される図４の続きを示す処理のフローチャートと、この売上データ処理装置の処理に伴って情報センタサーバにおいて実行される処理を示すフローチャート。
【図６】図５の続きを示すフローチャート。
【図７】売上データ処理装置及び情報センタサーバにおいて実行される図６の続きを示す処理のフローチャートと、この情報センタサーバの処理に伴って決済センタサーバにおいて実行される処理を示すフローチャート。
【図８】売上データ処理装置において実行される図７の続きを示す処理のフローチャートと、決済端末において実行される図４の続きを示す処理のフローチャート。
【図９】開設処理後、所定時間間隔で売上データ処理装置のＣＰＵの制御の下で実行される自動処理を示すフローチャートと、この売上データ処理装置の処理に伴って情報センタサーバにおいて実行される処理を示すフローチャート。
【図１０】図９の続きを示すフローチャート。
【図１１】店舗の終業時に売上データ処理装置のＣＰＵの制御の下で実行される閉設処理を示すフローチャートと、この売上データ処理装置の閉設処理に伴って決済端末において実行される処理を示すフローチャート。
【図１２】売上データ処理装置において実行される図１１の続きを示す処理のフローチャートと、この売上データ処理装置の処理に伴って情報センタサーバにおいて実行される処理を示すフローチャート。
【図１３】図１２の続きを示すフローチャート。
【図１４】売上データ処理装置において実行される図１３の続きを示す処理のフローチャートと、決済端末において実行される図１１の続きを示す処理のフローチャート。
【図１５】売上データ処理装置において実行される図１４の続きを示す処理のフローチャートと、情報センタサーバにおいて実行される図１３の続きを示す処理のフローチャート。
【図１６】図１５の続きを示すフローチャートと、決済端末において実行される図１４の続きを示す処理のフローチャート。
【符号の説明】
【０１４６】
１  売上データ処理装置
１０、２０１  ＣＰＵ
１１、２０２  入力部
１２、２０３  表示部
１３、２０５  ＲＡＭ
１４、２０６  記憶部
１５  通信部
１６  印字部
１７  ドロア
１８、１９、２０、２０４、２０９  接続部
２  決済端末
２０７  接触型リーダライタ
２０８  非接触型リーダライタ
３  カードリーダ
４  情報センタサーバ
５  決済センタサーバ
１００  決済システム
【図１】
2009009322.tif 000003
【図２】
2009009322.tif 000004
【図３】
2009009322.tif 000005
【図４】
2009009322.tif 000006
【図５】
2009009322.tif 000007
【図６】
2009009322.tif 000008
【図７】
2009009322.tif 000009
【図８】
2009009322.tif 000010
【図９】
2009009322.tif 000011
【図１０】
2009009322.tif 000012
【図１１】
2009009322.tif 000013
【図１２】
2009009322.tif 000014
【図１３】
2009009322.tif 000015
【図１４】
2009009322.tif 000016
【図１５】
2009009322.tif 000017
【図１６】
2009009322.tif 000018